(57)【要約】      （修正有）【課題】内部に溜まったゴミが取り出しやすい阻集器用バスケットを提供する。【解決手段】排水から夾雑物を分離除去して排出する阻集器の排水流入部に設置して排水から固形状夾雑物を濾し取るバスケット２１であって、底板２４と、底板の上部空間の周囲を取り囲む側板２３とを備え、上部開口から排水を受け入れて内部に固形状夾雑物を溜め置くことが可能な箱状の形状を有し、底板の周縁は、側板の下縁より下方且つ底板の中心寄りに位置し、側板の下縁と底板の周縁とを繋ぐテーパ部２５を更に備える。テーパ部は、バスケットの底部においてバスケットの水平断面が下方に向かうにつれ次第に小さくなるように斜めに延在して側板の下縁と底板の周縁との間に傾斜内面を形成する。底板、側板及びテーパ部は網状部材からなる。【選択図】図１
0003198327.tif 000002
【実用新案登録請求の範囲】
【請求項１】
排水から夾雑物を分離除去して排出する阻集器の排水流入部に設置して前記排水から固形状の夾雑物を濾し取る阻集器用バスケットであって、
当該阻集器用バスケットは、
底板と、
当該底板の上部空間の周囲を取り囲むように起立する側板と
を備えることにより、
上部開口から前記排水を受け入れて内部に前記固形状の夾雑物を溜め置くことが可能な箱状の形状を有し、
前記底板の周縁は、前記側板の下縁より下方且つ当該底板の中心寄りに位置し、
当該阻集器用バスケットは、前記側板の下縁と前記底板の周縁とを繋ぐテーパ部を更に備え、
当該テーパ部は、
当該阻集器用バスケットの底部において当該阻集器用バスケットの水平断面が下方に向かうにつれ次第に小さくなるように斜めに延在して前記側板の下縁と前記底板の周縁との間に傾斜内面を形成する
ことを特徴とする阻集器用バスケット。
【請求項２】
前記底板、前記側板および前記テーパ部が、網状部材からなる
請求項１に記載の阻集器用バスケット。
【請求項３】
夾雑物を含んだ被処理排水を内部に収容可能な分離槽と、
当該分離槽に前記被処理排水を流入させる流入部と、
前記夾雑物を分離除去した処理排水を前記分離槽から流出させる流出部と、
前記被処理排水が通り抜けるように前記流入部に設置して前記被処理排水に含まれる固形状の夾雑物を濾し取る籠状のバスケットと
を備えた阻集器であって、
前記バスケットとして前記請求項１または２に記載の阻集器用バスケットを備えた
ことを特徴とする阻集器。
【考案の詳細な説明】
【技術分野】
【０００１】
本考案は、阻集器用バスケットおよび阻集器に係り、特に油脂や固形物などの夾雑物が混在する排水から夾雑物を分離除去する阻集器（グリーストラップ）に設置して固形状のゴミを捕捉する受け籠の構造に関する。
【背景技術】
【０００２】
下水道への油の流出を防ぐため業務用の厨房では阻集器（グリーストラップ）の設置が義務付けられている。この阻集器は一般に、分離槽、受け籠（バスケット）およびトラップを備え、排水はバスケットを通して分離槽に流入する。排水に含まれる食べ物カスのような比較的大きな固形状のゴミはバスケットで捕捉され、液体の排水のみが分離槽に溜められる。排水に含まれる油は水に浮いて分離槽の上部に集まり、槽底の水だけがトラップを通って下水に排出される。
【０００３】
また、このような阻集器を開示するものとして、下記特許文献がある。
【先行技術文献】
【特許文献】
【０００４】
【特許文献１】特許第５４６２７４４号公報
【特許文献２】実用新案登録第３１９５６５８号公報
【考案の概要】
【考案が解決しようとする課題】
【０００５】
ところで、阻集器は、排水中の夾雑物を槽内で分離しこれを槽内に留め置くものであるから、定期的に清掃を行い、溜まったゴミ（夾雑物）を除去する必要がある。阻集器の流入部に設置したバスケットには、前述のように食べ物カスのような固形状のゴミが溜まる。
【０００６】
ところが従来のバスケットは、図６〜図７に示すように金網やパンチングメタル板のような網状部材によって有底無蓋の箱状の籠（バスケット本体）２２を形成しこれに取手２７を付けただけの比較的単純な構造を有するに留まるものであり、バスケット底部の周囲、特に隅や角に溜まった細かなゴミが取り難く、バスケットを完全に掃除するには手間と時間を要していた。
【０００７】
また、清掃時に取り切れずにバスケット内に残った残渣は、腐って悪臭や雑菌繁殖の原因となり、衛生上好ましくない事態を引き起こすことにもなり得る。
【０００８】
したがって、本考案の目的は、阻集器に設置するバスケットを改良し、内部に溜まったゴミを取り出しやすくする点にある。
【課題を解決するための手段】
【０００９】
前記課題を解決し目的を達成するため、本考案に係る阻集器用バスケットは、排水から夾雑物を分離除去して排出する阻集器の排水流入部に設置して排水から固形状の夾雑物を濾し取る阻集器用バスケットであって、底板と、当該底板の上部空間の周囲を取り囲むように起立する側板とを備え、上部開口から排水を受け入れて内部に固形状の夾雑物を溜め置くことが可能な箱状の形状を有する。また、底板の周縁は、側板の下縁より下方且つ当該底板の中心寄りに位置する。さらに当該阻集器用バスケットは、側板の下縁と底板の周縁とを繋ぐテーパ部を備え、このテーパ部は、当該阻集器用バスケットの底部において当該阻集器用バスケットの水平断面が下方に向かうにつれ次第に小さくなるように斜めに延在して側板の下縁と底板の周縁との間に傾斜内面を形成する。
【００１０】
従来のバスケットは、水平な底板の縁から垂直に側板が立ち上がっているため（前記図６参照）、バスケット内部底面の周縁には、側板内面と底板内面とによって直角な隅が形成されている。また底面の四隅には、互いに直交する２枚の隣り合う側板部と底板とにより三方を直交する内面によって囲まれた角が形成される。このため、バスケット底部の隅や角に細かなゴミが溜まりやすく、溜まったゴミがなかなか取れないことがあった。
【００１１】
これに対して、上記本考案のバスケットでは、底板の縁から斜め上方且つ外方へ立ち上がるテーパ部を備え、この斜めに傾斜したテーパ部が底板と側板との間に介在されるから、従来のバスケットのように底面の周縁に直角な隅や角が形成されることがない。すなわち当該テーパ部は、バスケットの水平断面が下方に向かうにつれ次第に小さくなるように形成されているから、側板内面とテーパ部内面とがなす角度、ならびに、テーパ部内面と底板内面とがなす角度は、共に直角（９０°）より大きな角度（鈍角）となる。したがって、底板の周囲はテーパ部によって形成されたなだらかに傾斜した斜面によって取り囲まれることとなり、底板と側板が直交する従来のバスケットに比べて本考案のバスケットでは、バスケット底部の隅や角にゴミが留まり難く、且つ清掃時に内部のゴミを速やかに残らず排出することが出来る。
【００１２】
上記底板、側板およびテーパ部は、いずれも典型的には網状部材からなる。固形状夾雑物をバスケット内に捕捉する一方、排水をバスケット内から分離槽内に効率良く放出するためである。
【００１３】
なお、当該網状部材としては、例えば、金網（金属や樹脂からなる網）やパンチングメタルを用いることが出来る。また、前記テーパ部の斜面（傾斜内面）は、必ずしも平面的な斜面である必要はなく、湾曲した斜面（曲面）であっても構わない（例えば後述の図４〜図５参照）。
【００１４】
また、本考案に係る阻集器は、夾雑物を含んだ被処理排水を内部に収容可能な分離槽と、当該分離槽に被処理排水を流入させる流入部と、夾雑物を分離除去した処理排水を分離槽から流出させる流出部と、被処理排水が通り抜けるように流入部に設置して被処理排水に含まれる固形状の夾雑物を濾し取る籠状のバスケットとを備えた阻集器であり、当該バスケットとして前記本考案に係る阻集器用バスケットを備えた。
【考案の効果】
【００１５】
本考案によれば、阻集器に設置したバスケット内に溜まるゴミを取り出しやすくすることが出来る。
【００１６】
本考案の他の目的、特徴および利点は、図面に基づいて述べる以下の本考案の実施の形態の説明により明らかにする。なお、各図中、同一の符号は、同一又は相当部分を示す。
【図面の簡単な説明】
【００１７】
【図１】図１は、本考案の一実施形態に係る阻集器用バスケットを示す斜視図である。
【図２】図２は、前記実施形態に係る阻集器用バスケットを示す平面図である。
【図３】図３は、前記実施形態に係る阻集器用バスケットを設置した阻集器を示す断面図である。
【図４】図４は、前記実施形態の変形例に係る阻集器用バスケットを示す斜視図である。
【図５】図５は、前記変形例に係る阻集器用バスケットを示す平面図である。
【図６】図６は、従来の阻集器用バスケットの一例を示す斜視図である。
【図７】図７は、前記従来の阻集器用バスケットを示す平面図である。
【考案を実施するための形態】
【００１８】
図１から図２に示すように本考案の一実施形態に係る阻集器用バスケット２１は、略直方体の全体形状を有し上面を開口とした有底無蓋の箱状のバスケット本体２２と、バスケット本体上面の開口の縁に固定したフレーム状のフランジ部２６と、バスケット本体２２を持ち上げられるようにフランジ部２６の左右に取り付けた一対の取手２７とからなる。
【００１９】
バスケット本体２２は、四方を取り囲むように垂直に起立した側板２３（２３ａ，２３ｂ，２３ｃ，２３ｄ）と、長方形の平面形状を有して当該バスケット２１の水平な底面を形成する底板２４とを有し、側板２３の下縁と底板２４の周縁とを斜めに接続するテーパ部２５を備えている。側板２３、底板２４およびテーパ部２５はいずれも、水を通過させる一方、一定の大きさ以上のゴミ（固形状の夾雑物）を濾し取るため、網状部材（金網またはパンチングメタル板）により形成する。
【００２０】
側板２３は、４枚の側板部２３ａ〜２３ｄ、すなわち、互いに平行な一対の左右側板部（左側板部２３ａと右側板部２３ｂ）と、互いに平行な一対の前後側板部（前側板部２３ｃと後側板部２３ｄ）とからなり、底板２４の上部空間（バスケット本体２２の内部空間）の四方を取り囲む。側板２３の下縁は、長方形の平面形状を描くことになるが、同様に長方形の平面形状を有する底板２４は、図２に示すように底板２４の周縁が側板の下縁の内側（バスケット本体２２の中心側）に収まるように側板２３の下縁より小さい。また底板２４は、側板２３の下縁より下方に位置する（図１，図３参照）。
【００２１】
そして、側板２３の下縁と底板２４の周縁とを繋ぐようにテーパ部２５が備えられている。テーパ部２５は、バスケット底部の全周に亘って、側板２３の下縁から底板２４の縁に向けて斜めに下る斜面内面を形成する。したがって、バスケット底面（底面の上面）の縁ならびに四隅にはいずれも従来のように直角（９０°）の角（かど）が形成されることがなく、いずれも９０°より大きな鈍角の角（かど）が形成される。これにより、バスケット本体２２の底部にゴミが溜まり難く、且つゴミを取り出しやすくすることが出来る。
【００２２】
本実施形態のバスケットは、阻集器の排水流入部に設置する。図３は阻集器の一例を示すものであるが、この阻集器１１は、食べ物カスのような固形物や油脂などの夾雑物を含んだ被処理排水を内部に収容して排水と夾雑物とを分離する分離槽１２（槽本体部１４）と、この分離槽１２に被処理排水を流入させる流入部１３と、被処理排水から夾雑物を分離除去した処理排水を分離槽１２から下水道へ流出させる流出部１５とを備えている。
【００２３】
流入部１３は、被処理排水を分離槽１２（流入部１３）に流し込む流入管１６と、固形状の夾雑物を濾し取るバスケット２１を有する。バスケット２１は、前記実施形態に係るバスケット２１である。また流出部１５には、下水道からの臭気の逆流を防ぐとともに分離槽１２（槽本体部１４）の表面に浮いた油脂を避けて分離槽１２の底部から油脂類を含まない排水のみを排出するトラップ管１８と、当該排水を下水道へと送り出す流出管１７とを有する。また油脂類と排水、ならびに、バスケット２１を通過して分離槽１２の底に沈んだ比較的小さな固形状の夾雑物と排水をそれぞれ分離する槽本体部１４には、仕切板１９が備えられている。
【００２４】
流入管１６から流入した被処理排水はバスケット２１内に流れ落ち、バスケット２１により固形物が捕捉された後、網状のバスケット本体２２を通過して槽本体部１４に流れ込む。槽本体部１４では、油脂類が槽内の排水表面（水位を符号ＷＬで示す）に浮いて分離されるとともに、底に沈んだ固形物が仕切板１９によって堰き止められて分離槽１２の底に溜め置かれる。油脂類や固形物が分離され取り除かれた排水は、トラップ管１８を通過し、オーバーフローによって流出管１７から分離槽１２の外へ流れ出し、処理排水として下水道へと送られる。
【００２５】
以上、本考案の実施形態について説明したが、本考案は図面に示した上記実施形態に限定されるものではなく、実用新案登録請求の範囲に記載の範囲内で種々の変更を行うことができることは当業者に明らかである。
【００２６】
例えば、前記実施形態ではテーパ部２５を平面的な斜面としたが、図４〜図５に示すようにテーパ部２５を曲面としても良い。このような構造によれば、バスケット本体２２の底面周囲（バスケット底面の縁や四隅）を湾曲した内面とすることが出来るから、前記実施形態と同様にバスケット本体２２の底面周囲にゴミが溜まり難く且つ取り出しやすくすることが出来る。
【００２７】
さらに、上記図４〜図５に示す例では、バスケット本体２２の側面の各かど（側板部と側板部の間）についてもこれらを丸く湾曲させてあり、バスケット本体２２の内面全体について平面と平面が突き合わされて形成されるような隅やかどが一切無いから、ゴミが一層溜まり難く且つスムーズにゴミを取り出すことが出来る。
【符号の説明】
【００２８】
１１  阻集器
１２  分離槽
１３  流入部
１４  槽本体部
１５  流出部
１６  流入管
１７  流出管
１８  トラップ管  
１９  仕切板
２１  阻集器用バスケット
２２  バスケット本体
２３  側板
２３ａ  左側板部
２３ｂ  右側板部
２３ｃ  前側板部
２３ｄ  後側板部
２４  底板
２５  テーパ部
２６  フランジ部
２７  取手
ＷＬ  排水の水位
【図１】
0003198327.tif 000003
【図２】
0003198327.tif 000004
【図３】
0003198327.tif 000005
【図４】
0003198327.tif 000006
【図５】
0003198327.tif 000007
【図６】
0003198327.tif 000008
【図７】
0003198327.tif 000009